(57)【特許請求の範囲】
【請求項１】
ソフトウエアを記録した媒体商品を、載置する棚板（４）と背後に寄り掛からせる背板（５）とからなる陳列棚（１ａ）を２つの支柱間に架け渡し、複数の陳列棚（１ａ）を上下に組み上げて媒体商品を陳列する媒体商品の陳列棚における補強具（７ａ，７ｂ）において、
前記背板（５）の上縁面（５１）や棚板（４）の前縁面（４１）における、長手方向の全部または一部の長さとし、また、厚さ方向の全幅とする金属製の板材（７１，７４）で作られ、この金属製の板材（７１，７４）の長手方向に沿う両側縁に、前記背板（５）の上縁面（５１）や棚板（４）の前縁面（４１）から奥行き方向の両面に当接して係止する係止部（７２，７３，７５，７６）を少なくとも３つ突出させて形成し、それぞれの係止部（７２，７３，７５，７６）は前記金属製の板材（７１，７４）における両端と中央近傍とに形成したことを特徴とする媒体商品の陳列棚における補強具。
【請求項２】
ソフトウエアを記録した媒体商品を、載置する棚板（４）と背後に寄り掛からせる背板（５）とからなる陳列棚を２つの支柱間に架け渡し、複数の陳列棚を上下に組み上げて媒体商品を陳列する媒体商品の陳列棚における補強具（７ｃ）において、
前記背板（５）の上縁面における、長手方向の全部または一部の長さとし、また、幅方向の全幅とする金属製の板材（７７）で作られ、この金属製の板材（７７）の幅方向の中間部で長手方向に沿う所定間隔位置の下面に、前記陳列棚（１ｂ）の背板（５）の上縁面から差し込んで係止する係止部（７８，７９）を形成したことを特徴とする媒体商品の陳列棚における補強具。
【請求項３】
ソフトウエアを記録した媒体商品を、載置する棚板と背後に寄り掛からせる背板とからなる陳列棚（１ｃ）を複数の支柱間に架け渡し、複数の陳列棚（１ｃ）を上下に組み上げて媒体商品を陳列する媒体商品の陳列棚における補強具（７ｄ，７ｅ）において、
前記背板の上縁面や棚板の前縁面における、長手方向の全部または一部の長さとし、また、厚さ方向の全幅とする金属製の板材（７１，７４）で作られ、この金属製の板材（７１，７４）の長手方向に沿う両側縁に、前記背板の上縁面や棚板の前縁面から背板や棚板の奥行き方向の両面に当接して係止する長尺の係止部（７２ａ，７３ａ，７５ａ，７６ａ）を形成したことを特徴とする媒体商品の陳列棚における補強具。
【請求項４】
ソフトウエアを記録した媒体商品を、載置する棚板と背後に寄り掛からせる背板とからなる陳列棚（１ｄ）を複数の支柱間に架け渡し、複数の陳列棚（１ｄ）を上下に組み上げて媒体商品を陳列する媒体商品の陳列棚における補強具（８ａ）において、
この補強具（８ａ）は、陳列棚（１ｄ）の背板（５）の上縁面に、この上縁面に積み重ねる陳列棚（１ｄ）の背板（５）の下縁面に差し込む係合片（８１）を設けたことを特徴とする媒体商品の陳列棚における補強具。
【請求項５】
ソフトウエアを記録した媒体商品を、載置する棚板と背後に寄り掛からせる背板とからなる陳列棚（１ｅ）を複数の支柱間に架け渡し、複数の陳列棚（１ｅ）を上下に組み上げて媒体商品を陳列する陳列棚における補強具（８ｂ）において、
この補強具（８ｂ）は、陳列棚の背板（５）の上縁面の中央部に穿設した孔部（５３）に嵌合する嵌合部（８２）を下方に突出形成し、上側の陳列棚（１ｅ）の背板（５）の下縁面の中央下部に嵌合する嵌合部（８３）を上方に突出形成し、前記嵌合部（８２，８３）の間に停止部（８４）を形成したことを特徴とする媒体商品の陳列棚における補強具。
【請求項６】
ソフトウエアを記録した媒体商品を、載置する棚板と背後に寄り掛からせる背板とからなる陳列棚（１ｆ）を複数の支柱間に架け渡し、複数の陳列棚（１ｆ）を上下に組み上げて媒体商品を陳列する陳列棚における補強具（８ｃ）において、
この補強具（８ｃ）は、各陳列棚（１ｆ）の背板（５）の上縁面（５１）に穿設した孔部（５４）に順に通して上下に複数の陳列棚（１ｆ）にわたし、上下に隣接する陳列棚（１ｆ）における上方の背板（５）の下部中央と下方の背板（５）の上部中央をこの柱状の補強具（８ｃ）を介して係合するようにしたことを特徴とする媒体商品の陳列棚における補強具。
【発明の詳細な説明】
【０００１】
【発明の属する技術分野】
本発明は、ビデオまたはオーディオソフト、およびゲームソフト等（以下、省略してソフトウエアという）の販売店やレンタル店において、これらを記憶してケースに納めた多数のソフトウエア媒体等の媒体商品を店内に陳列するための媒体商品の陳列棚に関し、特に、安価な合成樹脂製の素材により簡素な構造にも拘らず合理的な補強を行うことができる媒体商品の陳列棚における補強具に関する。
【０００２】
【従来の技術】
ＣＤ（コンパクトディスク）やＭＤ（ミニディスク）、およびＬＤ（レーザーディスク）のような円盤状記憶媒体や、ビデオまたはオーディオソフトのようなテープ状記録媒体の商品（以下、省略して媒体商品という）の販売店やレンタル店において、これら媒体商品をソフトウエアの種類やジャンルに分類して店内に展示しようとする際に、店舗インテリアの展示装置において来客に魅力的なディスプレイを行うことが重要であり、このための媒体商品の列棚が種々提案されている。
【０００３】
図７は従来の一般的な展示装置における陳列棚の一例を簡単に説明する説明図であり、図７（ａ）および図７（ｃ）は複数の陳列棚を店内に配置する際の斜視図で、図７（ｂ）はそのうちの１つの陳列棚を拡大して示す部分拡大図である。
図７（ａ）において、１・・１は多数の媒体商品を陳列するための陳列棚で、２，２は各陳列棚を上下に配し水平に並べて両端で支持する１組のスタンドで、３，３は陳列された媒体商品が陳列棚の両端から落下するのを防止するための落下止めである。通常は、店内に複数組のスタンド２・・２を横並びに配置して展示装置とし、分類毎に媒体商品の点数に見合う必要数の陳列棚１・・１を組み上げて多様な媒体商品を整然と展示するようになっている。
従って、組み上げの都合上、各陳列棚１・・１と１組のスタンド２，２とは別体に形成しておくのが便利である。また、一体化したのでは全体の形状が複雑化し過ぎる一方、別体化すれば陳列棚用とスタンド用の各成型用金型はそれぞれ１種類に統合することも可能である。つまり、同一形状で多数形成することにより量産製造に適し、製造後は同一方向に重ねて梱包や保存ができるので、流通面での管理がし易い点でも有利となる。
【０００４】
図７（ｂ）において、各陳列棚１・・１は、媒体商品を載置する棚板４と背後に寄り掛からせる背板５と前記の落下止め３，３からなり、両端の腕部６，６を介して１組のスタンド２，２にそれぞれ支持されている。また、やや斜め上向きに形成されて来客の目線の高さから陳列棚１上の媒体商品のタイトルを視覚的に認め易いようになっている。
前記落下止め３，３は、媒体商品の落下を防止する本来の機能を発揮しつつ、棚板４と背板５が合う角を補強して両者の位置関係を維持するようになっている。
通常、陳列棚１は、スチール製の薄板を断面がＬ字状となるように折り曲げて棚板４と背板５に形成する。
【０００５】
前記棚板４は、展示すべき媒体商品が自然に落下せず、かつ、来客が取り出し易い程度の奥行きを有する。例えば、ビデオソフト用の陳列棚ではその奥行きはおよそ８０ｍｍ前後であり、このままでは薄板が湾曲し易いので強度を保つためと、組上げの際の安全のために、棚板４の前辺を下に、背板５の上辺を後に、コの字状に折り曲げたものがある。
この折り曲げにより形成される背板５の上辺の厚みは、店舗の床面積に対する展示スペースを減少させるので好ましくなく、一般に、軽量用の１２mm前後と中間用の１８mm前後の２種類のものが市場に多く出回っている。なお、重量用には媒体商品を前後に並べる別の展示形態も採られるためこの方式は余り多くはない。
【０００６】
ところで、一般に、媒体商品は合成樹脂製の保護ケースに収納され、長手方向の側面には媒体商品名を示す縦書きのタイトルが貼付され、従って、この側面を手前に向けて各媒体商品を縦に揃え、来客が取扱い易いように展示する。ところが、この縦に揃えた展示状態での媒体商品の高さは種類により相違し、ビデオソフト等の縦長のものとＣＤ等の縦に短いものとが混在している。
そのため、背板５の高さ（矢印）ｈ・・ｈは、縦長の媒体商品には背後に寄り掛かる際の安定を考慮して背の高いものが適し、縦に短い媒体商品には比較的に背の低いものが適する。一方、上下の棚間隔（矢印）ｄ・・ｄも、来客が各種媒体商品を陳列棚１・・１から取り出し易い便宜を考慮する必要もある。そこで、陳列棚は、展示すべき媒体商品に合わせて相違し、最適なものを様々に形成するのが実情である。
【０００７】
ここで、魅力的なディスプレイを追求した最近の店舗における展示の一例について以下に述べる。
図７（ｃ）において、この展示例では、左右に隣り合う陳列棚１・・１の高さを揃えて横通しの直線的な配置を採用し、人間工学の観点から来客の視線が横に移動し易いようにして、水平方向に多数の媒体商品群の品揃えをアピールし、水平方向に広がりのある解放感を来客に与えるようになっている。
この横通しの配置には、それぞれが横長の陳列棚１・・１を横に少数組み合わせる方が、部材コストも組立工数も低減できて好ましい。
【０００８】
また、前記落下止め３，３は、横方向に隣接した２つの陳列棚１，１に挟まれる位置のものが媒体商品の横並びの展示を妨げ、横に連続的な配列に隙間を形成することとなって来客の水平方向の視線の動きが遮られ、例えば、同一ジャンルの媒体商品群の中であれば不連続な印象を与えてしまうのみならず、実際に配列作業を行う店員にとっては、媒体商品を横方向に整列していく際の妨げとなる弊害があった。従って、これらの落下止め３，３は取り除くことが望ましい。
さらに、意図的に一部の棚間隔（矢印）ｄ・・ｄや背板の高さ（矢印）ｈ・・ｈを局所的に狭め、または広げて、組み上げた際の全体の高さを調整することより、１組と他の１組の高さが異なるスタンド２・・２を同一店舗内で融通的に使用することもある。
いずれにしても、これらの陳列棚１・・１はスチール製の素材により形成するものであり、多数の陳列棚を使用する用途には、より製造コストを低く抑えられる合成樹脂製の素材による安価なものが望ましかった。
【０００９】
図８は、合成樹脂製の素材による安価な陳列棚を説明する説明図であり、図８（ａ）は構造を示し、図８（ｂ）は使用状態を示し、図８（ｃ）は力学的な説明を加えるためのものである。
図８（ａ）において、この合成樹脂製の陳列棚１における棚板４および背板５は、棚板４の下面から背板５の背面にかけて複数のリブ１１・・１１を設け、棚板４と背板５とが合う角を開こうとする展開力（矢印）Ｆ，Ｆに対抗し、この角部と棚板４および背板５との折れ曲がりを補強して断面Ｌ字の形状を維持する他は、前記した図７の陳列棚におけるものと類似である。
【００１０】
つまり、これら複数のリブ１１・・１１で構造上の補強を施すことにより、前記の落下止め３を削除しても棚板４や背板５を薄い板材により軽量で安価に形成でき、その強度不足を補うことができる点が狙いとなる。
そうであれば、合成樹脂の材質を広範囲の素材の中から選択し、例えば、柔軟であるが安価な素材であるポリプロピレンやＡＢＳ樹脂等を採用することができるようになる。何故なら、例えば、強い剛性により物理的な強度を有するポリスチロールの素材は折れ曲がりに強い反面、衝撃により割れ易く製造面でも流通面でも扱い難い点がある。他方、柔軟な材質にガラス繊維入りの強化素材は甚だ高価なものでありコスト低減には適さない。
【００１１】
その際に、陳列棚１自体が形状的に図７と異なる点は、これらリブ１１・・１１の付加により棚板４および背板５には外形的な厚みを生ずるが、梱包保存・運搬等の流通面での取扱いがスチール製素材のものと比較してスペース上の妨げとなる程ではない。また、陳列棚の両端の腕部６，６における２つのスタンド２．２への取付け形態は従来と同様のものを採用し得るばかりか、全体の軽量化を図ることができ、むしろ店内での組立や運搬での取扱いに便利であるといえる。
なお、図８における、符号４１は棚板４を補強するための前縁面で、符号５１は背板５を補強するための上縁面であり、それぞれスチール製の陳列棚１におけるコの字状の折り曲げに相当する。
【００１２】
続いて、図８（ａ）の陳列棚における使用状態での変化を簡単に説明する。図８（ｂ）において、媒体商品群の複合的な重さは主に棚板４にかかるものであって、仮に、最多積載時の複合的な重さを等価的に総合重量（矢印）Ｗとすれば、この総合重量（矢印）Ｗは棚板４の中央部に集中して働くと考えられる。この総合重量（矢印）Ｗは、長手方向が１０００mm以上の陳列棚１上でビデオソフト等の媒体商品が１０Ｋｇ程度、ＣＤ等の媒体商品が１５Ｋｇ程度となって無視できないものがある。
その際に、発明者は以下の現象を知見することができた。すなわち、図８（ｂ）において棚板４の前縁面（二点鎖線）４２が下向きに湾曲し、背板５の上縁面（二点鎖線）５２が手前方向に湾曲する一方、棚板４と背板５が合う角には湾曲するような変化が殆ど発生しないという現象である。
この点に関し、発明者は力学的に次のように推察する。
【００１３】
図８（ｃ）において、理解し易くするため棚板４と背板５を展開し、左右中央で２つに分割して陳列棚１を１枚の板１２と仮定し、この板１２を一端Ｓにおいて前記両端の腕部６，６による支持に対応して固定した場合を想定する。
この場合に総合重量（矢印）Ｗは、その大きさが総合重量（矢印）Ｗの半分づつで、作用方向は他端の上下における各反対方向に働く回転力（矢印）1/2Ｗ，1/2Ｗに相当するとして、この回転力（矢印）1/2Ｗ，1/2Ｗが陳列棚１に捩じれを生じさせたと考えれば現象論的に都合がよい。
つまり、陳列棚１は、前記リブ１１・・１１の存在により展開力（矢印）Ｆ，Ｆには十分に対抗できて単純な湾曲は生じないものの、この捩じれを排除する効果は得られなかったと考えるのが妥当であろう。
また、前記リブ１１・・１１の数を増やして縦横に、または斜めに設けても、展開力（矢印）Ｆ，Ｆに対する効果と比べ、この捩じれによる湾曲に対しては十分な効果は得られなかった。
【００１４】
【発明が解決しようとする課題】
しかし、これら従来の陳列棚を使用してソフトウエア媒体等の媒体商品の実用的な展示空間を形成しようとする際、次に述べるような問題点があった。
（１）陳列棚の素材は、スチール製より合成樹脂製の方が安価であるが、ＣＤ等は、保護ケースに収納した媒体商品としての形態で全体重量はかなり重くなり、また、ビデオソフト等の媒体商品は長手方向の側面を手前にして縦長の不安定な姿勢で展示するので、合成樹脂製の陳列棚に媒体商品を多数展示すると、棚板と背板の湾曲により棚板との間が滑り易いことと相まって落下による媒体商品の破損が無視できない。
（２）また、これに複数のリブを設けることで陳列棚に加わる展開力には対抗できても、複合重量により生ずる捩じれを抑制することはできないため、結局、合成樹脂製の素材を採用することができなかった。
（３）さらに、多数のリブを縦横に、または斜めに設けたり、棚板と背板を肉厚にする構造では、重量が増加して割高となり本来の目的を逸脱する割りには、この捩じれによる湾曲の防止に十分な効果が得られない。
本発明は、前述の問題点に鑑み、安価な合成樹脂製の素材により簡素な構造にも拘らず合理的な補強を行うことができる媒体商品の陳列棚における補強具を提供することを課題とする。
【００１５】
【課題を解決するための手段】
前記の課題を解決するため、本発明では次の手段を構成した。
（１）請求項１に係る発明の媒体商品の陳列棚における補強具は、ソフトウエアを記録した媒体商品を、載置する棚板４と背後に寄り掛からせる背板５とからなる陳列棚１ａを２つの支柱間に架け渡し、複数の陳列棚１ａを上下に組み上げて媒体商品を陳列する媒体商品の陳列棚における補強具７ａ，７ｂにおいて、前記背板５の上縁面５１や棚板４の前縁面４１における、長手方向の全部または一部の長さとし、また、厚さ方向の全幅とする金属製の板材７１，７４で作られ、この金属製の板材７１，７４の長手方向に沿う両側縁に、前記背板５の上縁面５１や棚板４の前縁面４１から奥行き方向の両面に当接して係止する係止部７２，７３，７５，７６を少なくとも３つ突出させて形成し、それぞれの係止部７２，７３，７５，７６は前記金属製の板材７１，７４における両端と中央近傍とに形成したことを特徴とする。
そして、この金属製の板材７１，７４で作られた補強具７ａ，７ｂを前記背板５の上縁面５１や棚板４の前縁面４１に押し当てて、それぞれの係止部７２，７３，７５，７６を前記背板５の上縁面５１や棚板４の前縁面４１から奥行き方向の両面に当接して係止するようにする。
【００１６】
（２）また、請求項２に係る発明の媒体商品の陳列棚における補強具７ｃは、前記背板５の上縁面における、長手方向の全部または一部の長さとし、また、幅方向の全幅とする金属製の板材７７で作られ、この金属製の板材７７の幅方向の中間部で長手方向に沿う所定間隔位置の下面に、前記陳列棚１ｂの背板５の上縁面から差し込んで係止する係止部７８，７９を形成したことを特徴とする。
（３）また、請求項３に係る発明の媒体商品の陳列棚１ｃにおける補強具７ｄ，７ｅは、前記背板の上縁面や棚板の前縁面における、長手方向の全部または一部の長さとし、また、厚さ方向の全幅とする金属製の板材７１，７４で作られ、この金属製の板材７１，７４の長手方向に沿う両側縁に、前記背板の上縁面や棚板の前縁面から背板や棚板の奥行き方向の両面に当接して係止する長尺の係止部７２ａ，７３ａ，７５ａ，７６ａを形成したことを特徴とする。
【００１７】
（４）また、請求項４に係る発明の媒体商品の陳列棚１ｄにおける補強具８ａは、陳列棚１ｄの背板５の上縁面に、この上縁面に積み重ねる陳列棚１ｄの背板５の下縁面に差し込む係合片８１を設けたことを特徴とする。
【００１８】
（５）また、請求項５に係る発明の媒体商品の陳列棚１ｅにおける補強具８ｂは、陳列棚１ｅの背板５の上縁面の中央部に穿設した孔部５３に嵌合する嵌合部８２を下方に突出形成し、上側の陳列棚１ｅの背板５の下縁面の中央下部に嵌合する嵌合部８３を上方に突出形成し、前記嵌合部８２，８３の間に停止部８４を形成したことを特徴とする。
【００１９】
（６）また、請求項６に係る発明の媒体商品の陳列棚における補強具８ｃは、各陳列棚１ｆの背板５の上縁面５１に穿設した孔部５４に順に通して上下に複数の陳列棚１ｆにわたし、上下に隣接する陳列棚１ｆにおける上方の背板５の下部中央と下方の背板５の上部中央をこの柱状の補強具８ｃを介して係合するようにしたことを特徴とする。
【００２０】
【発明の実施の形態】
以下、本発明の実施の形態を、図面を参照して詳しく説明する。なお、前記した従来例における同じ部分については各図面に同一の符号を付して示し、詳しい説明は省略する。
図１は本発明の請求項１に係る媒体商品の陳列棚における補強具の実施形態を説明する説明図であり、図１（ａ）は陳列棚１ａの背板５の上縁面５１に金属製の補強具７ａを係合させる状態を示したものである。また、図１（ｂ）は陳列棚１ａの棚板４の前縁面４１に金属製の補強具７ｂを係合させる状態を示したものである。
【００２１】
本発明の請求項１に係る媒体商品の陳列棚における補強具７ａは、図１（ａ）に示すように、前記背板５の上縁面５１における、長手方向の全部または一部の長さとし、また、上縁面５１の厚さ方向の全幅とする金属製の板材７１で作られ、この金属製の板材７１の長手方向に沿う両側縁に、前記背板５の上縁面５１から背板５の奥行き方向の両面に当接して係止する係止部７２，７３を少なくとも３つ突出させて形成し、それぞれの係止部７２，７２（他方の係止部７２は図示しない）は前記金属製の板材７１における両端に設け、他方の係止部７３は金属製の板材７１の中央近傍に設ける。
また、他方の補強具７ｂは、図１（ｂ）に示すように、前記棚板４の前縁面４１における、長手方向の全部または一部の長さとし、また、前縁面４１の厚さ方向の全幅とする金属製の板材７４で作られ、この金属製の板材７４の長手方向に沿う両側縁に、前記棚板５の前縁面４１から棚板４の奥行き方向の両面に当接して係止する係止部７５，７６を少なくとも３つ突出させて形成し、それぞれの係止部７５，７５（他方の係止部７５は図示しない）は前記金属製の板材７４における両端に設け、他方の係止部７６は金属製の板材７４の中央近傍に設ける。
【００２２】
前記のように構成された補強具７ａ，７ｂの作用を図１（ａ）、（ｂ）と図８（ｃ）を参照して説明する。
図１（ａ）において、この金属製の補強具７ａを陳列棚１ａの背板５の上縁面５１に嵌めることにより、金属製の板材７１による背板５の上縁面５１と平行な面内での剛性によって、この背板５の捩じれを矯正すべく作用する。また、前記金属製の板材７１の長手方向に沿う両側縁に形成した係止部７２，７３，７２は、前記上縁面５１から背板５の奥行き方向の両面に係合して固定するためのものであり、金属製の板材７１の両端の係止部７２，７２が背板５の両端の奥行き方向の面に位置決めされ、金属製の板材７１の中央の係止部７３が背板５の中央の奥行き方向の面に位置決めされて、この金属製の板材７１の剛性により背板５の捩じれを抑制すべく作用する。
その際に、この金属製の板材７１は、等価的に背板５の回転力（矢印）1/2Ｗ（図８（ｃ）参照）による作用をほぼ打ち消した上、棚板４の回転力（矢印）1/2Ｗによる作用をも打ち消して、総合重量（矢印）Ｗ（図８（ｂ）参照）により棚板４と背板５に作用する捩じれが全体的に抑制されると考えれば知見された現象とも一致する。
【００２３】
また、図１（ｂ）において、棚板４の前縁面４１に金属製の補強具７ｂを嵌める場合には、金属製の板材７４による棚板４の前縁面４１と平行な面内での剛性によって、この前縁面４１における棚板４の捩じれを矯正すべく作用することができる。その際、２つの係止部７５，７５を棚板４の前縁面４１の両端の奥行き方向の面に係止し、残り１つの係止部７６を棚板４の前縁面４１の中央近傍の奥行き方向の面に係止させることとなる。
以上のように、前記補強具７ａ，７ｂは、それぞれ金属製の板材７１，７４を陳列棚１ａの背板５の上縁面５１または棚板４の前縁面４１に係止する他、前記背板５の上縁面５１または棚板４の前縁面４１の中途に係止しても、それなりの効果が得られる。
また、請求項１に係る補強具の用途としては、複数の陳列棚１ａ・・１ａを組み上げる際に最上段に配置する陳列棚１ａの場合や、背板の高さｈ（図７（ｂ）参照）が上下の棚間隔ｄ（図７（ａ）参照）より低い陳列棚１ａの場合に適している。
【００２４】
図２は本発明の請求項２に係る媒体商品の陳列棚における補強具の実施形態を説明する説明図である。この補強具７ｃは、前記背板５の上縁面における、長手方向の全部または一部の長さとし、また、幅方向の全幅とする金属製の板材７７で作られ、この金属製の板材７７の幅方向の中間部で長手方向に沿う所定間隔位置の下面に例えば３つの係止部７８，７９，７８が形成されたものであり、この３つの係止部７８，７９，７８は、背板５の上縁面５１（図１参照）の幅方向の中間において上縁面５１から背板５に差し込むようになっている。各係止部７８，７９，７８を設けるべき金属製の板材７７の下面の長手方向の位置は、例えば、金属製の板材７７の両端部と中間部である。
この３つの係止部７８，７９，７８は、正面から見て背板５の内部に隠れるので、係止部７８，７９，７８が暴露されることで、美観が損なうという際には適したものとなる。
さらに、図２において、係止部７８，７９，７８は３つに限らず、背板５の上縁面の長手方向における全部、または一部の長さに差し込まれるように拡張（多数にし）し、さらに、別の１つの横長の係止部７８ａとして形成してもよい。
【００２５】
図３は本発明の請求項３に係る媒体商品の陳列棚における補強具の実施形態を説明する説明図である。
この請求項３にかかる発明の媒体商品の陳列棚における補強具７ｄは、図３（ａ）においては、金属製の板材７１の長手方向の両縁に、背板５の上縁面から背板５の奥行き方向の両面に係止する横長の係止部７２ａ，７３ａを形成したものである。この補強具７ｄでは、構造的な強度を増しつつ補強具全体の形状を単純化して製造し易くしたものであり、前記した捩じれを抑制する作用に対する３つの係止部の強度を増強し、背板５に対する係止をさらに確実化する意味がある。
また、図３（ｂ）においては、棚板の前縁面に係合するように、金属製の板材７４の長手方向の両縁に、棚板の前縁面から棚板の両面に係止する横長の係止部７５ａ，７６ａを形成した補強具７ｅとしたものである。
【００２６】
図４は本発明の請求項４に係る媒体商品の陳列棚における補強具の実施形態を説明する説明図である。
この請求項４に係る媒体商品の陳列棚における補強具８ａは、陳列棚１ｄの背板５の上縁面に一体に形成するものであり、この第１の陳列棚１ｄに第２の陳列棚１ｄを積み重ね係合する場合の補強具８ａである。この補強具８ａは、図４に示す実施の形態においては第１の陳列棚１ｄの上縁面に補強具８ａを形成し、この第１の陳列棚１ｄを２つの支柱に設置し、第２の陳列棚１ｄを前記第１の陳列棚１ｄの上に設置するするときに、前記補強具８ａを上方の陳列棚１ｄの棚板の奥に差し込むようになっている。
【００２７】
図５は本発明の請求項５に係る媒体商品の陳列棚における補強具の実施形態を説明する説明図である。
この請求項５に係る媒体商品の陳列棚における補強具８ｂは、図５に示すようになっている。すなわち、下側の陳列棚１ｅの背板５における上縁面の中央に上下方向の孔部５３を穿設したものである。また、補強具８ｂは、この孔部５３に嵌合する嵌合部８２を下方に突出形成し、図示しない上側の陳列棚１ｅの背板５の中央下部において係合する嵌合部８３を上方に突出形成している。
また、前記孔部５３より大きく形成し、前記補強具８ｂの嵌合部８２の嵌合を停止させる停止部（鍔状部）８４を嵌合部８２と嵌合部８３の間に設ける。この停止部８４により前記孔部５３から補強具８ｂの抜け落ちが防止できるので、この補強具８ｂを陳列棚４の背板５ａに取付け易くなると共に、孔部５３を一様な寸法で形成することができ製造がし易くなる。
なお、この補強具８ｂを上側の背板５における中央下部に取り付け、下側の背板５における中央上部に係止する構造としてもよい。
【００２８】
図６は本発明の請求項６に係る媒体商品の陳列棚における補強具の実施形態を説明する説明図である。
この請求項６に係る媒体商品の陳列棚における補強具８ｃの実施形態は、各陳列棚１ｆの背板５の上縁面５１に穿設した孔部５４に順に通して上下に複数の陳列棚１ｆにわたし、上下に隣接する陳列棚１ｆにおける上方の背板５の下部中央と下方の背板５の上部中央をこの柱状の補強具８ｃを介して係合するようにしたものである。すなわち、この補強具８ｃは、前記請求項５に係る補強具８ｂのような停止部８４を不要とする他は、請求項５に係る補強具と同様である。
この請求項６に係る媒体商品の陳列棚における補強具８ｃは、陳列棚１ｆ自体と比較して軽量なものであり、その通し方も分かり易いため従来の組立の作業手順を妨げる程ではない。また、第１および第２の陳列棚１ｆ，１ｆを先ず設置した後に補強具８ｃを通して補強することもできる。
なお、本発明の各請求項に係る補強具は、前述の実施形態にのみ限定されるものではなく、その他、本発明の要旨を逸脱しない範囲で種々の変更を加えうることは勿論である。
【００２９】
【発明の効果】
以上述べたように、本発明に係る媒体商品の陳列棚における補強具においては次の効果がある。
（１）リブ構造では除去できない複合重量により生ずる捩じれを矯正する方向に補強できるので、安価な合成樹脂製の陳列棚には避けられない前記した棚板と背板の湾曲を抑制することができる。
（２）また、ＣＤ等全体重量の大きな媒体商品を展示しても、ビデオソフト等の媒体商品を不安定な姿勢で多数展示しても、前記した湾曲が生じないので、合成樹脂製にも拘らず媒体商品が手前に滑り、陳列棚から落下して破損することがなくなる。
【００３０】
（３）棚板と背板を薄板素材にして素材コストを低減できるので、全体を軽量化できるばかりか、陳列棚自体を安価なものにすることができる。
（４）若干の付加操作のみにより陳列棚を補強するので、従来の作業手順を妨げず、短時間に容易に陳列棚を組み立てることができる。
（５）さらに、補強具は、棚板または背板のいずれかに係止すればよく構造も極めて簡単なため、陳列棚と別体に形成して添付品または別売りとしても、一体化して製造しても、流通面で管理し易く内装取付け工事においても取扱い易い。
以上の（１）から（５）の理由により、安価な合成樹脂製の素材を採用して簡素な構造にも拘らず合理的な補強を行うことができる媒体商品の陳列棚における補強具を提供することができるようになった。
【図面の簡単な説明】
【図１】本発明の請求項１に係る媒体商品の陳列棚における補強具の実施形態を説明する説明図である。
【図２】本発明の請求項２に係る媒体商品の陳列棚における補強具の実施形態を説明する説明図である。

【図３】本発明の請求項３に係る媒体商品の陳列棚における補強具の実施形態を説明する説明図である。
【図４】本発明の請求項４に係る媒体商品の陳列棚における補強具の実施形態を説明する説明図である。
【図５】本発明の請求項５に係る媒体商品の陳列棚における補強具の実施形態を説明する説明図である。
【図６】本発明の請求項６に係る媒体商品の陳列棚における補強具の実施形態を説明する説明図である。

【図７】従来の一般的な展示装置における陳列棚の一例を概略的に説明する説明図である。
【図８】従来の合成樹脂製の素材による安価な陳列棚を説明する説明図である。
【符号の説明】
１，１ａ，１ｂ，１ｃ，１ｄ，１ｅ，１ｆ・・・・・・・・・陳列棚
２・・・スタンド ４・・・棚板 ５・・・背板
７ａ，７ｂ，７ｃ，７ｄ，７ｅ・・・補強具
７１，７４，７７・・・・・・・・・金属製の板材
７２，７２ａ，７３，７３ａ，７５，７５ａ，７６，７６ａ，７８，７８ａ，７９・・・・・・・・・・・・・・・・係止部
８ａ，８ｂ，８ｃ・・・・・・・・・補強具
８１・・・係合片 ８２・・・嵌合部 ８３・・・嵌合部
８４・・・停止部
【図１】
0003582029.tif 000002
【図２】
0003582029.tif 000003
【図３】
0003582029.tif 000004
【図４】
0003582029.tif 000005
【図５】
0003582029.tif 000006
【図６】
0003582029.tif 000007
【図７】
0003582029.tif 000008
【図８】
0003582029.tif 000009